(57)【要約】【課題】  本発明は、設置現場において、簡単で短時間に修理あるいは交換が容易にできるとともに、足踏みにより音のしない豪華な重厚感と、金属マットの機能性を兼ね備えたスノコ状床マット用桟部材着脱方法、およびスノコ状床マットを提供することを目的とする。【解決手段】  隣合ったエンドプレートの両側部に設けられた下側側部突出部と上側側部突出部とを交互に桟部材に取り付けることにより、簡単に取り外しができるとともに、長さ方向の移動を防止している。すなわち、前記構成のスノコ状床マットは、寒暖の差による連結部材の変形、あるいは、長期間の使用による変形があっても、前記隣合ったエンドプレートの両側部に設けられた上下側側部突出部の嵌合により、前記桟部材の長さ方向の移動が防止されて、変形することがないと同時に折り畳むことができる。【選択図】    図１
2006061550.tif 000002
【特許請求の範囲】
【請求項１】
マット部材と、
前記マット部材を上部に嵌合する嵌合凹部、側部に設けられた連結溝、少なくとも前記嵌合凹部と側部によって囲まれた空洞部が成形された桟部材と、
前記連結溝に端部を嵌入させることにより、前記桟部材を互いに連結する連結部材と、
前記桟部材の少なくとも一端に固定されるエンドプレートと、
を少なくとも備え、
前記マットが嵌合された桟部材を複数連結させて構成されるスノコ状床マット用桟部材着脱方法において、
前記エンドプレートは、両側部に下側側部突出部が設けられたものと、両端部に上側側部突出部が設けられたものとを交互に前記桟部材に嵌合して装着することを特徴とするスノコ状床マット用桟部材着脱方法。
【請求項２】
前記下側側部突出部を有するエンドプレートは、両端部に取り付けられている前記上側側部突出部を有するエンドプレートを取り外した後に、取り外すことを特徴とする請求項１に記載されたスノコ状床マット用桟部材着脱方法。
【請求項３】
マット部材と、
前記マット部材を上部に嵌合する嵌合凹部、側部に設けられた連結溝、少なくとも前記嵌合凹部と側部によって囲まれた空洞部が成形されている桟部材と、
前記連結溝に端部を嵌入させることにより、前記桟部材を互いに連結する連結部材と、
前記桟部材の少なくとも一端に固定され、両側部に下側側部突出部が設けられた第１のエンドプレートと、
前記桟部材の少なくとも一端に固定され、両端部に上側側部突出部が設けられた第２のエンドプレートと、
を少なくとも備え、前記第１のエンドプレートと第２のエンドプレートとを桟部材に交互に嵌合し、前記桟部材を複数連結させて構成されることを特徴とするスノコ状床マット。
【請求項４】
前記第１および第２のエンドプレートは、桟部材の底部にビス止めされていることを特徴とする請求項３に記載されたスノコ状床マット。
【請求項５】
前記第１および第２のエンドプレートは、ネジを桟部材の連結溝にネジ込むことにより前記桟部材の端部に取り付けられることを特徴とする請求項３に記載されたスノコ状床マット。
【発明の詳細な説明】
【技術分野】
【０００１】
本発明は、スノコ状床マット用桟部材着脱方法、およびスノコ状床マットに関するものである。特に、本発明は、ホテルやビルのエントランスに敷くことにより、カーペットの豪華な重厚感と、金属マットの機能性を兼ね備え、かつ、排水性にも優れたスノコ状床マット用桟部材着脱方法、およびスノコ状床マットに関するものである。
【背景技術】
【０００２】
本出願人は、マットを取り付けた桟部材を連結部材で接続することにより、折り畳めるようにしたスノコ状床マットを数多く出願している。たとえば、前記スノコ状床マットは、靴で踏まれた際に靴底から拭い取った泥等が残り、この部分を通過した場合、綺麗な靴底であっても、その場で泥が付着し、他の箇所に汚れが広がる。
【０００３】
前記スノコ状床マットは、汚れが広がるのを防止するために、泥を水によって除去する際の汚水排水手段を備えている。前記汚水排水手段を備えたスノコ状床マットは、たとえば、特願２００２−１４３２４６号（特開２００３−３２５３０４号公報）に記載されている。
【０００４】
【特許文献１】特開２００３−３２５３０４号公報
【発明の開示】
【発明が解決しようとする課題】
【０００５】
前記スノコ状床マットは、豪華さを保持するために、たとえば、たばこの火により、一部が焦げた場合、あるいは何らかの原因で一部の部品が破損した場合であっても、一部のマット部材や部品を交換することが必要である。しかし、前記スノコ状床マットは、工場で修理したくても、重量が重く、簡単に持ち運びができないという問題があった。
【０００６】
前記スノコ状床マットは、エンドプレートを取り外し、現場で一部を交換することも考えられる。しかし、前記スノコ状床マットは、寒暖の差による連結部材の変形、あるいは、長期間の使用による変形を防止するために、エンドプレートの左右の突出部の位置を変えている。そのため、前記エンドプレートは、一番端から順次取り外す必要があり、現場で少人数で、短時間に行える作業ではなかった。
【０００７】
以上のような課題を解決するために、本発明は、温度により大きな熱伸縮、および製造時における連結部材を切断する際の誤差に基づいて、方形の形状に緩みが出ずに、形状が崩れない、品質的に優れているとともに、不良箇所を短時間で、しかも簡単に修理または交換することができるスノコ状床マット用桟部材着脱方法およびスノコ状床マットを提供することを目的とする。
【０００８】
本発明は、どのような条件で使用されてもスノコ状床マットが方形を保ち、かつ、足踏みにより音のしない豪華な重厚感と、金属マットの機能性を兼ね備えているととにも、不良箇所を短時間で、しかも簡単に修理または交換することができるスノコ状床マット用桟部材着脱方法およびスノコ状床マットを提供することを目的とする。
【課題を解決するための手段】
【０００９】
（第１発明）
第１発明のスノコ状床マット用桟部材着脱方法は、マット部材、前記マット部材を上部に嵌合する嵌合凹部、側部に設けられた連結溝、少なくとも前記嵌合凹部と側部によって囲まれた空洞部が成形された桟部材と、前記連結溝に端部を嵌入させることにより、前記桟部材を互いに連結する連結部材と、前記桟部材の少なくとも一端に固定されるエンドプレートとを少なくとも備え、前記マットが嵌合された桟部材を複数連結させて構成されるスノコ状床マットにおいて、前記エンドプレートは、両側部に下側側部突出部が設けられたものと、両端部に上側側部突出部が設けられたものとを交互に前記桟部材に嵌合して装着することを特徴とする。
【００１０】
（第２発明）
第２発明のスノコ状床マット用桟部材着脱方法において、第１発明の下側側部突出部を有するエンドプレートは、両端部に取り付けられている前記上側側部突出部を有するエンドプレートを取り外した後に、取り外すことを特徴とする。
【００１１】
（第３発明）
第３発明のスノコ状床マットは、マット部材と、前記マット部材を上部に嵌合する嵌合凹部、側部に設けられた連結溝、少なくとも前記嵌合凹部と側部によって囲まれた空洞部が成形されている桟部材と、前記連結溝に端部を嵌入させることにより、前記桟部材を互いに連結する連結部材と、前記桟部材の少なくとも一端に固定され、両側部に下側側部突出部が設けられた第１のエンドプレートと、前記桟部材の少なくとも一端に固定され、両端部に上側側部突出部が設けられた第２のエンドプレートとを少なくとも備え、前記第１のエンドプレートと第２のエンドプレートとを桟部材に交互に嵌合し、前記桟部材を複数連結させて構成されることを特徴とする。
【００１２】
（第４発明）
第４発明のスノコ状床マットは、第３発明における第１および第２のエンドプレートが桟部材の底部にビス止めされていることを特徴とする。
【００１３】
（第５発明）
第５発明のスノコ状床マットは、第３発明における第１および第２のエンドプレートがネジを桟部材の連結溝にネジ込むことにより前記桟部材の端部に取り付けられることを特徴とする。
【発明の効果】
【００１４】
本発明によれば、桟部材の側部に設けられた連結溝内で、桟部材を互いに連結させる連結部材が寒暖の差や長期間の使用によっても、スノコ状床マットの変形が防止できるとともに、一部に不良箇所が発生しても、設置現場において、短時間で、しかも簡単に修理または交換することができる。
【００１５】
本発明によれば、前記スノコ状床マットが嵌合された桟部材を複数連結させ、両側部に下側側部突出部が設けられた第１のエンドプレートと、両側部に上側側部突出部が設けられた第２のエンドプレートとを交互に取り付けているため、修理する部分を一個または数個外すだけで済む。
【００１６】
本発明によれば、エンドプレートは、両側部に突出部が成形されているため、桟部材の長さ方向の移動が防止され、スノコ状床マットの形状を方形に維持することができるとともに、折り畳む際に互いに衝突しないような形状になっている。
【００１７】
本発明によれば、エンドプレートの形状に工夫を加えることにより、スノコ状床マットの変形を無くすとともに、折り畳みが自在にできるようにした。
【００１８】
本発明によれば、スノコ状床マットから金属音が発生せず、形が変形することもないので、カーペットの豪華な重厚感と金属マットの機能性を兼ね備え、ホテルやビルのエントランスに設置することができる。
【発明を実施するための最良の形態】
【００１９】
（第１発明）
第１発明において、スノコ状床マットは、マット部材と、前記マット部材を上部に嵌合する嵌合凹部、側部に設けられた連結溝、少なくとも前記嵌合凹部と側部によって囲まれた空洞部が成形された桟部材と、前記桟部材の側部に設けられた連結溝に嵌入され、前記桟部材どうしを互いに連結させる複数の連結部材と、前記桟部材の少なくとも一端に固定されるエンドプレートとから少なくとも構成され、前記マットが嵌合された桟部材を複数連結させて構成される。
【００２０】
第１発明のスノコ状床マット用桟部材着脱方法は、前記隣合ったエンドプレートの両側部に設けられた互いの突出部を嵌合させることにより、前記桟部材の長さ方向の移動を防止している。すなわち、前記構成のスノコ状床マットにおける桟部材に嵌合するエンドプレートは、下側側部突出部が両側部に設けられたタイプと、上側側部突出部が両側部に設けられたタイプとの二種類がある。
【００２１】
前記二種類のエンドプレートは、交互に嵌合させることにより、前記桟部材を複数連結して、スノコ状床マットを構成する。前記スノコ状床マットは、前記連結により、長さ方向の移動が防止されて、変形することがないと同時に折り畳むことができる。また、前記寒暖の差による連結部材の変形、あるいは、長期間の使用による変形もなくなる。
【００２２】
（第２発明）
第２発明のスノコ状床マット用桟部材着脱方法は、エンドプレートの両端に設けられている側部突出部が下側のものと、上側のものとの二種類あるため、まず、上側側部突出部を備えたエンドプレートを外す。前記上側側部突出部を備えたエンドプレートが嵌合していた桟部材は、取り外すことができる。
【００２３】
下側側部突出部を備えたエンドプレートを外す場合、前記上側側部突出部を備えたエンドプレートを外した後、前記エンドプレートの両側にある下側側部突出部を備えた二つのエンドプレートを外す。そして、前記下側側部突出部が設けられたエンドプレートは、取り外すことができる。すなわち、前記スノコ状床マットは、重量があるにもかかわらず、設置現場において、短時間にまた容易に前記桟部材、あるいは一部の部品を交換または修理することができる。
【００２４】
（第３発明）
第３発明のスノコ状床マットは、マット部材と、前記マット部材が設けられた桟部材と、桟部材を連結する連結部材と、前記連結部材の少なくとも一端を塞ぐ第１および第２のエンドプレートとから構成されている。前記桟部材は、上部に前記マット部材を嵌合する嵌合凹部、側部に連結部材の端部を遊嵌する連結溝、下部に前記嵌合凹部および側部によって囲まれた空洞部から構成され、たとえば、一体成形されている。
【００２５】
前記連結部材は、たとえば、両端に断面円形または半円形の膨出部を有し、前記連結溝の内部に遊嵌され、桟部材を折り畳むことができるようになっている。第１のエンドプレートは、前記桟部材の両端に固定されるものであり、両側部に下側側部突出部が設けられ、第２のエンドプレートは、同じく、両側部に上側側部突出部が設けられている。前記第１のエンドプレートと第２のエンドプレートとは、交互に桟部材に嵌合される。
【００２６】
第３発明は、前記マットが嵌合された桟部材を複数連結させ、第１のエンドプレートの両側部に成形された下側側部突出部と、第２のエンドプレートの両側部に成形された上側側部突出部が互い違いに嵌合しているため、桟部材の長さ方向に移動ができないようになっている。
【００２７】
桟部材が長さ方向に移動できないような構成は、スノコ状床マットを敷いた場合、変形せずに方形を常に維持することができるとともに折り畳むこともできる。すなわち、前記上下側側部突出部は、スノコ状床マットを折り畳む際に互いに衝突しないような大きさになっている。
【００２８】
（第４発明）
第４発明のスノコ状床マットは、桟部材の底部と、前記第１および第２のエンドプレートとがビス止めされている。前記連結は、一本のビスによって固定されるだけであるが、桟部材の長さ方向の移動を防止している。スノコ状床マットは、第１および第２のエンドプレートの側部に桟部材の長さ方向の動きを止める凸部を成形することもできる。前記第１および第２のエンドプレートの形状は、スノコ状床マットの方形を変えることなく、折り畳みができるようになっている。
【００２９】
（第５発明）
第５発明のスノコ状床マットは、第１および第２のエンドプレートを桟部材に取り付ける場合、二本のネジを桟部材の連結溝にネジ込むことにより取り付けている。したがって、前記連結部材は、ネジの分短くなっている。また、第５発明のスノコ状床マットは、前記第１および第２のエンドプレートを桟部材に止めるネジのネジ孔が側部突出部に一部かかるように構成されている。前記側部突出部は、ネジ孔の一部を切り欠かれることがなく、取り付けが堅固にできる。
【実施例１】
【００３０】
図１（イ）は本発明の第１実施例で、スノコ状床マットを説明するための斜視図で、（ロ）は第１実施例に使用するエンドプレートを説明するための斜視図で、（ハ）はスノコ状床マットの平面図である。図１（イ）ないし（ハ）において、スノコ状床マット１１は、アルミニウム合金等の押し出し成形により作製される桟部材１２と、合成樹脂製の毛からなるマット部材１３と、前記二つの桟部材１２を連結する連結部材１４と、第１のエンドプレート１５と、第２のエンドプレート１６とから少なくとも構成されている。
【００３１】
桟部材１２は、内部に軽量化を図るための空洞部１２１と、前記空洞部１２１の上部にマット部材１３を嵌合させる嵌合凹部１２２と、側部１２３に成形された連結溝１２４と、前記空洞部１２１の下部に、たとえば、クッション材を嵌合させる溝等を有する底部１２５と、前記底部１２５に設けられたネジ孔１２６とから構成されている。
【００３２】
前記マット部材１３は、通常、靴の底に付着する泥等を除去する合成樹脂製の毛等から構成され、前記嵌合凹部１２２に嵌合されている。連結溝１２４には、連結部材１４が摺動して、遊嵌されるように挿入される。前記連結部材１４は、たとえば、両端に断面がほぼ円形または半円形の膨出部１４１を有し、前記連結溝１２４内を摺動するとともに、スノコ状床マット１１が折り畳めるようになっている。前記連結部材１４は、桟部材１２の間に水抜き孔１４２が成形されている。
【００３３】
第１のエンドプレート１５は、前記桟部材１２の両端に取り付けるものであり、内面に前記空洞部１２１に嵌合する形状からなる空洞嵌合凸部１５１と、両側部に突出した下側側部突出部１５３、１５３′とが設けられている。第２のエンドプレート１６は、両側部に前記下側側部突出部１５３、１５３′と段違いに嵌合する上側側部突出部１６３、１６３′とから構成されている。前記上下側側部突出部１５３、１５３′、１６３、１６３′先端部は、スノコ状床マット１１を折り畳む際に都合の良いように半円形またはアール状に成形されている。
【００３４】
前記スノコ状床マット１１は、連結部材１４により、複数の桟部材１２が連結された後、前記桟部材１２の両端部に第１のエンドプレート１５と第２のエンドプレート１６とを交互に嵌合させる。前記嵌合は、桟部材１２の空洞部１２１と、第１および第２のエンドプレート１５、１６の空洞嵌合凸部１５１、１６１とを嵌まり合わせた後、ネジ１５６をネジ孔１２６、１５２にネジ込むことにより取り付けられる。
【実施例２】
【００３５】
図２（イ）は本発明の第２実施例で、スノコ状床マットを説明するための平面図で、（ロ）および（ハ）は第２実施例に使用するエンドプレートの変形を説明するための斜視図である。図２（イ）ないし（ハ）において、示されたスノコ状床マット２１は、第２実施例で、第１および第２のエンドプレート２５、２６の形状が第１実施例と異なっている。
【００３６】
図２（イ）ないし（ハ）に示すエンドプレート２５、２６は、両側部に突出した下側側部突出部２５３と、両側部に突出した上側側部突出部２６３が成形されている。また、前記下側側部突出部２５３と上側側部突出部２６３とは、隣合った第１および第２のエンドプレート２５、２６どうしが互いに入れ違うような構成で、互いに合わせた厚さが前記エンドプレート２５、２６の厚さと同じであり、桟部材１２の長さ方向に移動ができないようになっている。
【００３７】
前記第１および第２のエンドプレート２５、２６の桟部材１２への取り付けは、図示されていないが、図１と同様に、ネジ孔２５２、２６２を利用する。また、前記下側側部突出部２５３および上側側部突出部２６３の先端部の形状は、実施例１と同様にほぼ半円形または角部のアールを大きくすることにより、スノコ状床マット２１を折り畳む際に都合が良い。
【実施例３】
【００３８】
図３（イ）は本発明の第３実施例で、スノコ状床マットを説明するための斜視図で、（ロ）は第３実施例に使用するエンドプレートを説明するための斜視図で、（ハ）はスノコ状床マットの平面図である。図３（イ）から（ハ）において、第３実施例は、エンドプレート３５、３６の形状および桟部材１２への取り付け方が第１実施例および第２実施例と異なっている。
【００３９】
前記第２のエンドプレート３６は、桟部材１２に成形された空洞部１２１に嵌合する空洞嵌合凸部３６１と、両側部に上側側部突出部３６２、３６２′と、前記桟部材１２の端部に取り付けるためのネジ孔３６３とが成形されている。前記空洞嵌合凸部３６１は、第３実施例の場合、必ずしも必要でない。
【００４０】
前記上側側部突出部３６２、３６２′は、隣合った第１のエンドプレート３５の他方の下側側部突出部３５２と互い違いになるように嵌合される。桟部材１２の長さ方向の動きは、前記段部によって動かないようになる。また、前記下側側部突出部３６２は、第２のエンドプレート３６の端面と同じ面となるように突出しているため、ネジ３６４が連結溝１２４にセルフタッピングによりネジ込まれる。
【００４１】
ネジ３６４によって、連結溝１２４にネジ込む際のネジ孔３６３は、前記第２のエンドプレート３６の端面から僅かに外れるが、前記上側側部突出部３６２、３６２′により、一部が欠けたネジ孔にならない。
【産業上の利用可能性】
【００４２】
以上、本実施例を詳述したが、本発明は、前記本実施例に限定されるものではなく、特許請求の範囲に記載されている事項を逸脱することがなければ、種々の設計変更を行うことが可能である。たとえば、本発明の桟部材および連結部材は、アルミニウム、アルミニウム合金、その他の金属、あるいは合成樹脂部材から構成することができ、押し出しまたは引き抜き加工等の公知または周知の技術により成形できる。
【００４３】
本発明のエンドプレートにおける側部に成形された突出部は、特許請求の範囲に記載されている事項、および目的を逸脱しない限り、形状に変化を付けることができる。
【図面の簡単な説明】
【００４４】
【図１】（イ）は本発明の第１実施例で、スノコ状床マットを説明するための斜視図で、（ロ）は第１実施例に使用するエンドプレートを説明するための斜視図で、（ハ）はスノコ状床マットの平面図である。（実施例１）
【図２】（イ）は本発明の第２実施例で、スノコ状床マットを説明するための平面図で、（ロ）および（ハ）は第２実施例に使用するエンドプレートの変形を説明するための斜視図である。（実施例２）
【図３】（イ）は本発明の第３実施例で、スノコ状床マットを説明するための斜視図で、（ロ）は第３実施例に使用するエンドプレートを説明するための斜視図で、（ハ）はスノコ状床マットの平面図である。（実施例３）
【符号の説明】
【００４５】
１１・・・スノコ状床マット
１２・・・桟部材
１２１・・・空洞部
１２２・・・嵌合凹部
１２３・・・側部
１２４・・・連結溝
１２５・・・底部
１２６・・・ネジ孔
１３・・・マット部材
１４・・・連結部材
１４１・・・膨出部
１４２・・・水抜き孔
１５・・・第１のエンドプレート
１５１・・・空洞嵌合凸部
１５２・・・ネジ孔
１５３、１５３′・・・下側側部突出部
１５６・・・ネジ
１６・・・第２のエンドプレート
１６１・・・空洞嵌合凸部
１６２・・・ネジ孔
１６３、１６３′・・・上側側部突出部
１５６・・・ネジ
３５・・・第１のエンドプレート
３５２・・・下側側部突出部
３６・・・第２のエンドプレート
３６１・・・空洞嵌合凸部
３６２、３６２′・・・上側側部突出部
３６３・・・ネジ孔
３６４・・・ネジ
【図１】
2006061550.tif 000003
【図２】
2006061550.tif 000004
【図３】
2006061550.tif 000005